(57)【要約】【課題】保護カバーの内側に位置する電気部品と、外側に位置する電気部品とを配線を介して電気的に容易に接続し得る遊技機を提供する。【解決手段】保護カバー４１の内側に配置される表示制御装置の配線が接続される第１コネクタ受部、および保護カバー４１の外側に位置する接触検出装置に接続した中継接続線３８が接続される第２コネクタ受部３９ｂを備えた第２の中継基板を取付け得る基板保持部４５を保護カバー４１に形成する。そして、基板保持部４５に第２の中継基板を取付けた際に、第２コネクタ受部３９ｂを保護カバー４１の外側に臨ませて、中継接続線３８を第２コネクタ受部３９ｂに保護カバー４１の外側から着脱し得るようにした。【選択図】図５
2005253879.tif 000002
【特許請求の範囲】
【請求項１】
遊技盤の裏側に着脱可能に設置されて、第１の電気部品を覆蓋保護する保護カバーを備え、この保護カバーの外側に設けられる第２の電気部品と、前記第１の電気部品とを配線を介して接続するようにした遊技機において、
前記第１の電気部品の配線が接続される第１接続部および第２の電気部品の配線が接続される第２接続部を有する中継基板を備え、
前記保護カバーに、前記中継基板の第２接続部を該保護カバーの外側に臨ませた状態で、該中継基板を取付け得る取付部を形成し、
前記取付部に取付けた中継基板の第２接続部に、前記第２の電気部品の配線を保護カバーの外側から着脱し得るようにした
ことを特徴とする遊技機。
【請求項２】
前記取付部は、前記保護カバーの外面に形成され、
前記保護カバーは、前記取付部に取付けた前記中継基板の第１接続部を保護カバーの内側に臨ませる通孔が開設されている請求項１記載の遊技機。
【請求項３】
前記取付部は、前記保護カバーの内面に形成され、
前記保護カバーは、前記取付部に取付けた前記中継基板の第２接続部を保護カバーの外側に臨ませる通孔が開設されている請求項１記載の遊技機。
【請求項４】
前記中継基板の同一面に、前記第１接続部および第２接続部の夫々が設けられ、該中継基板を取付ける前記取付部が、前記保護カバーの内面に形成され、
前記保護カバーにおける前記取付部に対応する位置には、保護カバーの外側に突出すると共に内側に開放する収容部と、保護カバーの内外を連通する通孔とが設けられて、
前記取付部に中継基板を取付けた際に、前記第１の電気部品の配線を接続した前記第１接続部が前記収容部に収容されると共に、前記第２接続部が前記通孔を介して前記保護カバーの外側に臨み、前記第２の電気部品の配線を保護カバーの外側から着脱し得るようになっている請求項１記載の遊技機。
【請求項５】
前記保護カバーは、前記取付部および通孔を形成したベース部材と、該ベース部材を着脱可能な開口部を開設した本体部とから構成される請求項２または３記載の遊技機。
【請求項６】
前記保護カバーは、前記取付部、通孔および収容部の夫々を形成したベース部材と、該ベース部材を着脱可能な開口部を開設した本体部とから構成される請求項４記載の遊技機。
【発明の詳細な説明】
【技術分野】
【０００１】
本発明は、遊技盤の裏側に設置した電気部品を覆蓋保護する保護カバーを備えた遊技機に関するものである。
【背景技術】
【０００２】
代表的な遊技機であるパチンコ機は、外郭をなす外枠に対し、着脱および開閉可能に中枠が組み付けられると共に、該中枠に開設した保持部を介して所要の遊技領域を画成した遊技盤が保持されている。また、前記中枠の前側には、ガラス板を備えた前枠が開閉自在に枢支され、該前枠を中枠に対して閉成した際に、該ガラス板を介して前記遊技盤を前側から視認し得るよう構成される。更に、前記中枠における前記前枠の下方位置には、多数のパチンコ球(遊技球)を貯留し得る上球皿が開閉自在に組み付けられ、該上球皿の下方位置に下球皿が組み付けられている。また、前記下球皿の右側部には、打球駆動部を駆動させて前記上球皿に貯留したパチンコ球を、前記遊技盤の遊技領域に向けて打ち出させる球打出操作用のハンドルユニットが設けられている。なお、中枠の裏側には、パチンコ球を貯留する球タンクやパチンコ球の球通路、その他球払出装置等を組み付けた機構セット盤が配設されており、該機構セット盤に、パチンコ機の各種制御を行なう制御装置を多数配設してある。
【０００３】
前記遊技盤の裏側には、図柄ドラムや図柄ベルトまたは液晶表示部等を具備する図柄表示装置や、所謂２種パチンコ機等に使用される大型の電動式入賞装置等の遊技装置が適宜選択配置されており、該遊技盤に開設した開口を介してこれら遊技装置をパチンコ機の前面側に露出させるようになっている。一般に、前記遊技装置は前後方向に嵩張る大型のサイズに形成されることから、遊技装置の裏側を覆蓋保護する保護カバーを配設して、前記球タンク等から零れて落下したパチンコ球が遊技装置に接触しないように構成される。ここで、前記保護カバーの内側に配設された遊技装置は電気部品であることから、該遊技装置を前記各種制御装置等の電気部品に接続する必要がある。そこで、保護カバーの内側に位置する電気部品と、外側に位置する電気部品とを接続する技術として、例えば保護カバーの背面板部に格子状にスリットを形成して切り離し可能な所要大の板部材を区画し、該板部材を必要に応じて切り離すことで所要の開口部を開設して、該開口部を通した配線を介して保護カバーの内側に位置する電気部品と外側に位置する電気部品と電気的に接続するようにした技術が知られている(例えば特許文献１参照)。
【特許文献１】特開平７−１０８０８５号公報
【発明の開示】
【発明が解決しようとする課題】
【０００４】
ところで、前述のように保護カバーの背面板部に開設した開口部を介して、保護カバーの内側に位置する電気部品と、外側に位置する電気部品とを接続する配線を通す場合には、保護カバーの内側に位置する電気部品の配線接続部がこの開口部の近傍に位置している場合には、該配線接続部に配線を容易に接続することが可能である。しかしながら、前記電気部品の配線接続部が保護カバーの開口部から離れた位置に設けられている場合には、該開口部を介して配線接続部に配線を接続するのは困難となる。この場合には、保護カバーを開放したもとで、保護カバーの内側に位置する電気部品の配線接続部に配線の一方の端部を接続し、前記開口部から配線の他端を保護カバーの外側に挿通して、該配線の他端を対応する電気部品に接続する等の手段を取ることしかできず、作業が煩雑になって作業効率が劣る問題を有している。また、保護カバーの内側に位置する電気部品と、外側に位置する電気部品とを配線を介して直接接続するため、内側の電気部品のメンテナンス作業等で保護カバーを開放するに際しては、該配線が引っ掛かって保護カバーの開放を阻害する畏れもある。更に、保護カバーの内側に位置する電気部品と、外側に位置する電気部品とを接続する配線が多数ある場合や、作業者の配線接続の作業性を向上させるためには、前記保護カバーに開設する開口部の開口面積を大きくする必要があるが、この場合には、該開口部に球タンク等から零れて落下してきたパチンコ球が侵入する畏れがあり、保護カバーとしての機能が損なわれる欠点を内在している。
そこで、本発明は、保護カバーの内側に位置する電気部品と、外側に位置する電気部品とを配線を介して電気的に容易に接続し得る遊技機を提供することを目的とする。
【課題を解決するための手段】
【０００５】
前記課題を克服し、所期の目的を達成するため、本発明に係る遊技機は、
遊技盤(30)の裏側に着脱可能に設置されて、第１の電気部品(36)を覆蓋保護する保護カバー(41)を備え、この保護カバー(41)の外側に設けられる第２の電気部品(20)と、前記第１の電気部品(36)とを配線(22a,37a,38)を介して接続するようにした遊技機において、
前記第１の電気部品(36)の配線(37a)が接続される第１接続部(39a)および第２の電気部品(20)の配線(38)が接続される第２接続部(39b)を有する中継基板(39)を備え、
前記保護カバー(41)に、前記中継基板(39)の第２接続部(39b)を該保護カバー(41)の外側に臨ませた状態で、該中継基板(39)を取付け得る取付部(45)を形成し、
前記取付部(45)に取付けた中継基板(39)の第２接続部(39b)に、前記第２の電気部品(20)の配線(38)を保護カバー(41)の外側から着脱し得るようにしたことを特徴とする。
【０００６】
また、前記取付部(45)を、前記保護カバー(41)の外面に形成し、
前記保護カバー(41)を、前記取付部(45)に取付けた前記中継基板(39)の第１接続部(39a)を保護カバー(41)の内側に臨ませる通孔(45a)を開設するようにしてもよい。
【０００７】
更に、前記取付部(45)を、前記保護カバー(41)の内面に形成し、
前記保護カバー(41)を、前記取付部(45)に取付けた前記中継基板(39)の第２接続部(39b)を保護カバー(41)の外側に臨ませる通孔(45a)を開設することも可能である。
【０００８】
更にまた、前記中継基板(39)の同一面に、前記第１接続部(39a)および第２接続部(39b)の夫々を設け、該中継基板(39)を取付ける前記取付部(45)を、前記保護カバー(41)の内面に形成し、
前記保護カバー(41)における前記取付部(45)に対応する位置に、保護カバー(41)の外側に突出すると共に内側に開放する収容部(47)と、保護カバー(41)の内外を連通する通孔(45a)とが設けて、
前記取付部(45)に中継基板(39)を取付けた際に、前記第１の電気部品(37)の配線(37a)を接続した前記第１接続部(39a)を前記収容部(47)に収容すると共に、前記第２接続部(39b)が前記通孔(45a)を介して前記保護カバー(41)の外側に臨み、前記第２の電気部品(20)の配線(38)を保護カバー(41)の外側から着脱し得るようにすることもできる。
【０００９】
そして、前記保護カバー(41)を、前記取付部(45)および通孔(45a)を形成したベース部材(44)と、該ベース部材(44)を着脱可能な開口部(43)を開設した本体部(42)とから構成してもよい。
【００１０】
また、前記保護カバー(41)を、前記取付部(45)、通孔(45a)および収容部(47)の夫々を形成したベース部材(44)と、該ベース部材(44)を着脱可能な開口部(43)を開設した本体部(42)とから構成することもできる。
【発明の効果】
【００１１】
本発明の請求項１に係る遊技機によれば、保護カバーの取付部に取付けた中継基板の第２接続部が、該保護カバーの外側に臨むよう構成し、保護カバーの外側に設けた第２の電気部品の配線を、当該保護カバーの外側から接続し得るようにしたから、保護カバーの内側と外側に位置する電気部品を容易に配線接続することができる。また、保護カバーで覆蓋保護した第１の電気部品のメンテナンス作業等を行なうに際しては、保護カバーの外側で第２接続部から第２の電気部品の配線を取外すことができるから、配線が引っ掛かることなく保護カバーを離脱させて、第１の電気部品を露出させることができる。更に、保護カバーに開口面積の大きな開口部を開設する必要がないから、保護カバーとしての機能が損なわれることはない。
【００１２】
そして、請求項２に係る遊技機によれば、取付部を保護カバーの外面に設けると共に、保護カバーに中継基板の第１接続部を内側に臨ませる通孔を開設したから、第１の電気部品の配線を保護カバーの内側から第１接続部に接続し得ると共に、第２の電気部品の配線を保護カバーの外側から第２接続部に接続することができる。また、請求項３に係る遊技機によれば、取付部を保護カバーの内面に設けると共に、保護カバーに中継基板の第２接続部を外側に臨ませる通孔を開設したから、第１の電気部品の配線を保護カバーの内側から第１接続部に接続し得ると共に、第２の電気部品の配線を保護カバーの外側から第２接続部に接続することができる。更に、中継基板を保護カバーの内側に取付けることで、該中継基板も保護し得る利点もある。
【００１３】
また、請求項４に係る遊技機によれば、取付部を保護カバーの内面に設けると共に、保護カバーにおける取付部に対応する位置に第１接続部の収容部、および第２接続部を外側に臨ませる通孔を形成したから、該収容部に第１の電気部品の配線を接続した第１接続部を収容したもとで、第２の電気部品の配線を保護カバーの外側から第２接続部に接続することができる。このように、広く流通している同一面に複数の接続部を設けた中継基板を利用した場合でも、該中継基板に設けた第１および第２接続部の夫々に配線を接続することができ、コストの抑制を図り得る。更に、中継基板を保護カバーの内側に取付けることで、該中継基板も保護し得る利点もある。
【００１４】
なお、請求項５に係る遊技機によれば、保護カバーの本体部と、取付部および通孔を形成したベース部材とを別部材で構成するようにしたから、中継基板の形状や構成等が変更された場合でも、中継基板に合わせてベース部材を変更するだけでよい。すなわち、保護カバー全体を変更する必要がないため、コストの低減が可能である。また請求項６に係る遊技機によれば、保護カバーの本体部と、取付部、通孔および収容部を形成したベース部材とを別部材で構成するようにしたから、中継基板の形状や構成等が変更された場合でも保護カバー全体を変更する必要がなく、コストの低減が可能である。
【発明を実施するための最良の形態】
【００１５】
次に、本発明に係る遊技機につき、好適な実施例を挙げて、添付図面を参照しながら、以下詳細に説明する。なお実施例では、遊技機としてパチンコ球を遊技媒体として使用する一般的な図柄表示装置を備えたパチンコ機を例にして説明する。また、以下の説明において前・後および左・右とは、特に断りのない限り、図１に示すようにパチンコ機を前側から見た場合において指称するものとする。
【実施例】
【００１６】
(パチンコ機について)
先ず実施例に係るパチンコ機１０の概略構成について、図１または図２を参照して説明する。パチンコ機１０は、外郭をなす外枠１１の開口前面側に対して中枠１２が、パチンコ機１０の左側に位置する連結支持手段１４、および右側に位置する施錠手段１５を利用して着脱および開放可能に組み付けられている。また、前記中枠１２には、所要の遊技領域３０ａを構成した遊技盤３０(後述)が着脱交換可能に取付けられると共に、該中枠１２の前面側に、遊技盤３０を透視保護するガラス板を組み付けた前枠１３と、パチンコ球を貯留する上球皿１６とを横開き形態で開閉可能に組み付けてある。また、前記中枠１２における上球皿１６の下方には、左右方向の略中央位置に、上球皿１６から溢れたパチンコ球を貯留し得る下球皿１７が配設されている。そして、前記中枠１２における下球皿１７の右側には、遊技者の操作に応じて図示しない打球発射装置を駆動して、前記上球皿１６に貯留したパチンコ球を前記遊技領域３０ａに向けて発射させるハンドルユニット１８が配設されると共に、該下球皿１７の左側には、吸殻等を受ける灰皿１９を配置してある。
【００１７】
ここで、前記灰皿１９には、図柄表示装置(第１の電気部品)３６に対して配線２２ａを介して電気的に接続される接触検出装置(第２の電気部品)２０が配設され、該接触検出装置２０に遊技者が触れることにより図柄表示装置３６で表示されている表示演出を変更し得るよう構成される。前記灰皿１９に配設される前記接触検出装置２０は、図３に示すように、該灰皿１９の下面に設けられて遊技者の手指が接触可能な接触部２１と、灰皿１９に内蔵されて接触部２１への遊技者の手指の接触を検出する検出部２２とから構成されている。そして、前記検出部２２に接続した配線２２ａを、図２に示すように、前記中枠１２における連結支持手段１４を形成した側部の下方位置、すなわち前記灰皿１９と前後に整列する位置に穿設した通孔１２ａを介して中枠１２の裏側に引き出したもとで、前記表示制御装置３７に電気的に接続するようになっている。また、前記中枠１２に形成した通孔１２ａの近傍には、互いに電気的に接続されている２つのコネクタ受部２４ａ,２４ａを設けた第１の中継基板２４を保持した基板ホルダ２３が配設されており、該第１の中継基板２４に設けた一方のコネクタ受部２４ａに、前記検出部２２に接続した配線２２ａのコネクタ２２ｂ(図３参照)が接続されて、他方のコネクタ受部２４ａに、後述する第２の中継基板(中継基板)３９に接続する中継接続線３８のコネクタ(図示せず)が着脱自在に接続される。
【００１８】
前記中枠１２の裏側には、図２に示すように、中枠１２の外郭形状に略整合する矩形状に成形された機構セット盤２５が配設されており、該機構セット盤２５に、外部から供給されたパチンコ球が流下する球貯留排出経路２６や、該球貯留排出経路２６の下方に連通接続する球払出装置２７等が配設されている。すなわち、前記球払出装置２７の作動に伴い、前記球貯留排出経路２６に貯留されたパチンコ球を、前記上球皿１６や下球皿１７に貸球または賞球として給出するようになっている。なお、前記機構セット盤２５の上方位置には、前後に開口する窓口２５ａが開設されており、該窓口２５ａを介して図柄表示装置３６を覆蓋保護する保護カバー４１が後方に臨んでいる。また、前記機構セット盤２５の下方には、パチンコ機１０を全体的に制御する主制御装置２８や、前記球払出装置２７を制御する払出制御装置２９等が設置されている。
【００１９】
(遊技盤について)
前記遊技盤３０は、前記中枠１２の上方位置に前後に開口するよう開設された遊技盤保持部(図示せず)に保持される。そして、図１に示すように、前記遊技盤３０の前面側に、略円形状に湾曲形成したレール３０ｂにより前記遊技領域３０ａが画成されて、該遊技領域３０ａの上方位置に、遊技盤３０の裏側に配設される図柄表示装置３６が臨む大型の装飾部品３１が配設されている。また、前記遊技領域３０ａにおける前記装飾部品３１の下方位置には、パチンコ球が通入可能な始動入賞具３２が配設され、該始動入賞具３２の下側に、前記図柄表示装置３６での図柄組合わせゲームの結果により開放する大型電動式の入賞装置３３を配設してある。更に、前記遊技領域３０ａの所要位置には、パチンコ球の流下方向を任意に変向する案内車３４,３４や、図柄表示装置３６での図柄組合わせゲームに応じて照射パターンを変更して発光演出を行なう電飾装置３５,３５等が配設されている。
【００２０】
ここで、前記図柄表示装置３６は、複数の図柄を可変表示可能な液晶ディスプレイ６２と、該液晶ディスプレイでの表示を制御する表示制御装置３７とを、略矩形状に形成したケース体３６ａに収容して構成され、該ケース体３６ａを前記遊技盤３０の裏側に配設した枠状部材３０ｃ(図４参照)に取付けるよう構成される。また、前記表示制御装置３７は、前記主制御装置２８に図示しない配線を介して電気的に接続されており、該主制御装置２８からの信号に基づいて、液晶ディスプレイ６２での表示を制御している。なお、前記表示制御装置３７における配線接続用のコネクタ受部３７ｂは、前記ケース体３６ａにおける保護カバー４１のヒンジ機構４０ａ形成側に設けられており、該コネクタ受部３７ｂに配線３７ａのコネクタ(図示せず)が着脱自在に接続されている。
【００２１】
(保護カバーについて)
図５に示すように、前記保護カバー４１は、該保護カバー４１の本体をなす本体部４２と、該本体部４２に開設した開口部４３に着脱自在に装着されて、前記第２の中継基板３９を保持可能な基板保持部(取付部)４５を備えたベース部材４４とから構成される。前記本体部４２は、前記図柄表示装置３６の後方に位置する背面板４２ａと、該背面板４２ａの上端縁から前側に向けて延出する上板４２ｂと、背面板４２ａの左右両端縁から前側に向けて延出する第１および第２側板４２ｃ,４２ｄとから、前方および下方に開放するよう形成されて、内側に前記図柄表示装置３６を収容し得るようになっている。なお、前記保護カバー４１には、前記施錠手段１５に近接する第１側板４２ｃに、前記枠状部材３０ｃに着脱および回動自在に枢支するヒンジ機構４０ａが形成されると共に、該施錠手段１５から離間する第２側板４２ｄに、該保護カバー４１を閉成状態で保持する固定具４０ｂが設けてある(図２または図４参照)。そして、前記第２側板４２ｄにおける前記背面板４２ａとの境界部には、該第２側板４２ｄから背面板４２ａにかけて、保護カバー４１の内側と外側とを連通させる前記開口部４３が開設される。なお、ベース部材４４は、前記開口部４３に装着した際に本体部４２の外郭形状に倣うよう形成してある。
【００２２】
また、前記背面板４２ａの内側には、図４または図５に示すように、略Ｌ字状の配線留め４２ｅが左右方向に離間する３箇所に形成されており、前記表示制御装置３７のコネクタ受部３７ｂに接続された配線３７ａを各配線留め４２ｅに保持して、該配線３７ａが背面板４２ａの内側(保護カバー４１の内面)に沿って前記ヒンジ機構４０ａの形成側と開口部４３との間に延在するようにしてある。更に、前記背面板４２ａには、左右方向に延在する放熱孔４１ａが複数箇所に形成され、前記図柄表示装置３６等から熱を保護カバー４１の外側に放出し得るよう構成されている。なお、前記各放熱孔４１ａの上下方向の開口幅寸法は、パチンコ球の直径寸法より短く設定されており、該放熱孔４１ａを介して球タンク等から零れて落下したパチンコ球が保護カバー４１の内側に侵入しないようになっている。
【００２３】
ここで、前記第２の中継基板３９は、図６または図１０に示すように、同一面側(表面側)に第１コネクタ受部(第１接続部)３９ａおよび第２コネクタ受部(第２接続部)３９ｂを備えており、該第１コネクタ受部３９ａと第２コネクタ受部３９ｂとが裏面側において電気的に接続されている。そして、前記第１コネクタ受部３９ａに、前記表示制御装置３７に接続した配線３７ａのコネクタ(図示せず)が着脱自在に接続されると共に、前記第２コネクタ受部３９ｂに、前記中継接続線３８のコネクタ３８ａが着脱自在に接続される。すなわち、前記第１および第２の中継基板２４,３９の夫々に接続される各配線２２ａ,３７ａ,３８を介して、前記図柄表示装置３６(表示制御装置３７)と接触検出装置２０(検出部２２)とが電気的に接続されるようになっている。
【００２４】
(ベース部材について)
次に、前記ベース部材４４について説明する。なお、ベース部材４４の説明に関しては、該ベース部材４４を前記本体部４２の開口部４３に取付けた状態を基準として説明する。前記ベース部材４４は、図６〜図１０に示すように、前記第２の中継基板３９を、前記保護カバー４１の内面に位置するよう着脱自在に保持する基板保持部４５と、該基板保持部４５の前側に所要の隙間を持って一体的に形成され、基板保持部４５側に弾性変形可能な弾性部５６とから、前記本体部４２に開設した開口部４３の輪郭形状に整合する略矩形状に形成される。
【００２５】
そして、前記弾性部５６には、上下方向の略中央位置に、前方に向けて延出して前記本体部４２の第２側板４２ｄに対して保護カバー４１の外側から当接する規制片５７が形成されると共に、保護カバー４１の内側に向けて延出して第２側板４２ｄに開設した前記開口部４３の開口前端面に当接する当接片５８が形成されている。また、前記基板保持部４５における上端縁には、上方に向けて所定長さ延出する上フランジ部５２が形成されると共に、該基板保持部４５の下端縁には、下方に向けて延出する下フランジ部５３が形成されて、これら上下のフランジ部５２,５３が前記第２側板４２ｄに対して保護カバー４１の内側から当接するようになっている。すなわち、前記ベース部材４４は、前記規制片５７および上下のフランジ部５２,５３により前記第２側板４２ｄを挟むことで、左右方向の移動が規制され、前記開口部４３から脱落しないようになっている。
【００２６】
また、前記ベース部材４４は、前記当接片５８が前記開口部４３の前側の開口端面に当接することにより前方移動が規制され、前記基板保持部４５の上下の端部が該開口部４３の上下の開口端面に当接することで上下移動が規制される。ここで、前記上下のフランジ部５２,５３は、その後端部が前記背面板４２ａに保護カバー４１の内側から当接するよう形成されており、該上下のフランジ部５２,５３が背面板４２ａに当接することで、ベース部材４４の後方移動を規制している。なお、前記開口端面とは、前記本体部４２における前記開口部４３を開設した輪郭部を意味し、開口前端面とは、前記第２側板４２ｄにおける開口部４３の輪郭部の遊技盤３０に近接する部位を指すものである。
【００２７】
図９に示すように、前記基板保持部４５は、前記第２の中継基板３９の表面(すなわちコネクタ受部３９ａ,３９ｂを配置した面)が当接する平板部４６と、該平板部４６の下方に位置し、本体部４２(保護カバー４１)の外側に向けて突出すると共に本体部４２(保護カバー４１)の内側に開放して前記第１コネクタ受部３９ａを収容する収容部４７とを有している。また、前記基板保持部４５の外周縁には、保護カバー４１の内側に向けて第２の中継基板３９の厚み寸法に略合致する長さだけ突出する上下および前立上がり片４８ａ,４８ｂ,４８ｃを形成してある。ここで、前記上下の立上がり片４８ａ,４８ｂの離間寸法は、前記第２の中継基板３９における上下方向の長さ寸法に略合致するよう設定され、該第２の中継基板３９を基板保持部４５に保持した際に、上下の立上がり片４８ａ,４８ｂに当接して上下移動が規制される。
【００２８】
また、前記基板保持部４５における上立上がり片４８ａには、その端面から下方に向けて前記平板部４６と略平行に延在する押え部４９が形成されると共に、該基板保持部４５の下端縁側における該押え部４９と上下に整列する位置には、押え部４９側に突出する爪部５０ａを備えたフック部５０が弾性変形可能に形成されて、押え部４９および爪部５０ａの夫々が第２の中継基板３９の裏面に当接するようになっている。すなわち、前記基板保持部４５に保持した第２の中継基板３９は、前記押え部４９および爪部５０ａに当接することで前記平板部４６から離間する方向(保護カバー４１の内側)への移動が規制されている。
【００２９】
なお、前記第２の中継基板３９のベース部材４４への取付方法としては、第２の中継基板３９の上部を、前記平板部４６と押え部４９との間に挿入すると共に、該第２の中継基板３９の下部を前記爪部５０ａに当接させる。そして、前記第２の中継基板３９の下部を基板保持部４５側に変位させることにより、前記フック部５０が弾性変形して、第２の中継基板３９の表面が前記平板部４６に当接した際に、該フック部５０が弾性復帰して前記爪部５０ａが第２の中継基板３９の裏側に当接して、当該第２の中継基板３９がベース部材４４に取付けられる。反対に、前記第２の中継基板３９を取外すに際しては、前記フック部５０を弾性変形させて爪部５０ａと第２の中継基板３９との係合を解除したもとで、該第２の中継基板３９を平板部４６から離間する方向に引き出すことで、前記ベース部材４４から第２の中継基板３９が取外される。
【００３０】
また、前記平板部４６の後方位置には、本体部４２(保護カバー４１)の内側に向けて突出する突出片４６ａ(図８または図９参照)が形成されており、第２の中継基板３９を保持した際に、該突出片４６ａに第２の中継基板３９の後端部が当接するようになっている。すなわち、前記基板保持部４５に保持した第２の中継基板３９は、前記突出片４６ａおよび前立上がり片４８ｃに当接することにより前後移動が規制され、前記基板保持部４５の所定位置に保持される。また、前記第２の中継基板３９における前後方向の長さ寸法は、前記ベース部材４４の前後方向の幅寸法より短く設定される。従って、図６、図８または図１０に示すように、前記基板保持部４５に第２の中継基板３９を取付けた際に、第２の中継基板３９の後端部とベース部材４４との間には、前記収容部４７を本体部４２(保護カバー４１)の内側に開放する開口領域５４が画成されて、該開口領域５４を介して収容部４７と保護カバー４１の内側とが連通するようになっている。これにより、前記第１コネクタ受部３９ａが、前記収容部４７および開口領域５４を介して保護カバー４１の内側に臨んでいる。すなわち、前記第２の中継基板３９は、前記第１コネクタ受部３９ａに前記配線３７ａを接続した状態で前記基板保持部４５に取付けることにより、前記開口領域５４を介して該配線３７ａを収容部４７の内側に導入し得るようになっている。
【００３１】
更に、前記基板保持部４５には、該基板保持部４５に保持した前記第２の中継基板３９の第２コネクタ受部３９ｂを挿通する通孔４５ａが開設されており、該通孔４５ａを介して第２コネクタ受部３９ｂが保護カバー４１の外側に臨む(露出する)よう構成されている(図５参照)。すなわち、前記第２コネクタ受部３９ｂに対し、保護カバー４１の外側から前記中継接続線３８を着脱し得るようになっている。
【００３２】
〔実施例の作用〕
次に、前述した実施例に係る遊技機の作用につき説明する。実施例のパチンコ機１０では、前記遊技盤３０の裏側に設置した保護カバー４１の内側に位置する図柄表示装置３６(表示制御装置３７)と、該保護カバー４１の外側(パチンコ機１０の前面側)に位置する接触検出装置２０(検出部２２)とを電気的に接続することで、該接触検出装置２０に遊技者が触れた際に、前記図柄表示装置３６で表示されている表示演出を変更し得るよう構成される。すなわち、前記検出部２２は、前記灰皿１９に内蔵されてパチンコ機１０の表側下部に位置するのに対し、前記表示制御装置３７はパチンコ機１０の裏側上部に位置している。このため、前記検出部２２に接続した配線２２ａを前記表示制御装置３７に直接接続する場合には、該配線２２ａを極めて長尺に形成して、この長尺な配線２２ａをパチンコ機１０の表側から前記中枠１２に形成した通孔１２ａに挿通し、中枠１２の裏側に引き出したもとで表示制御装置３７に接続する必要がある。このように、前記検出部２２に接続した配線２２ａを長くすると、該配線２２ａの取回しが煩雑になって作業効率の低下を招いてしまう。そこで、実施例のように、前記検出部２２の配線２２ａを、前記中枠１２に形成した通孔１２ａの近傍に配設した第１の中継基板２４に接続し、該第１の中継基板２４に接続した中継接続線３８を前記第２の中継基板３９に対して接続することで、１つの配線２２ａ,３８の長さ寸法を短くでき、配線２２ａ,３８の取回しが容易になって作業性が向上する。
【００３３】
ところで、実施例では、前記保護カバー４１の本体部４２に配設したベース部材４４に、第２の中継基板３９を保持すると共に、該ベース部材４４に開設した通孔４５ａを介して、第２の中継基板３９の第２コネクタ受部３９ｂを保護カバー４１の外側に露出するよう構成し、該第２コネクタ受部３９ｂに対し、前記中継接続線３８を保護カバー４１の外側から接続している。一方、前記ベース部材４４に、前記第２の中継基板３９の第１コネクタ受部３９ａに前記配線３７ａを接続した状態で、該第２の中継基板３９を取付けて、該配線３７ａを前記表示制御装置３７のコネクタ受部３７ｂに接続する。これにより、前記保護カバー４１の内側に位置する図柄表示装置(表示制御装置３７)と、該保護カバー４１の外側に位置する接触検出装置２０(検出部２２)とを、配線２２ａ,３７ａ,３８の夫々を介して電気的に接続している。
【００３４】
このように、前記保護カバー４１の内側に位置する前記表示制御装置３７に接続した配線３７ａは、保護カバー４１の内側から前記第２の中継基板３９に接続し得ると共に、該保護カバー４１の外側に位置する中継接続線３８(すなわち接触検出装置２０に接続する配線２２ａ)は、保護カバー４１の外側から第２の中継基板３９に接続し得る。すなわち、保護カバー４１の内側と外側に位置する前記図柄表示装置(表示制御装置３７)と接触検出装置２０(検出部２２)とを、保護カバー４１を開放することなく配線接続できるため、作業性が向上して短時間で作業を行ない得る。
【００３５】
また、前記第２の中継基板３９の第２コネクタ受部３９ｂに中継接続線３８を着脱自在に接続するよう構成したことにより、保護カバー４１の内側に位置する図柄表示装置(表示制御装置３７)等のメンテナンス作業に際しては、該第２コネクタ受部３９ｂから中継接続線３８を取外すだけで保護カバー４１を開放することができ、作業が簡略化される。ここで、前記本体部４２(保護カバー４１)の背面板４２ａに形成した配線留め４２ｅ,４２ｅ,４２ｅに、前記図柄表示装置(表示制御装置３７)に接続した配線３７ａを保持し、該配線３７ａを背面板４２ａ(保護カバー４１の内面)に沿ってヒンジ機構４０ａと開口部４３との間に延在させるようにした。このため、前記配線３７ａを前記ヒンジ機構４０ａの近傍に位置させることができ、該保護カバー４１の開閉動作時に、該配線３７ａが突っ張ることはなく、容易に保護カバー４１を開閉し得る。
【００３６】
なお、前記ベース部材４４に第１コネクタ受部３９ａを収容する収容部４７、および第２コネクタ受部３９ｂを外側に臨ませる通孔４５ａを形成したから、該収容部４７に表示制御装置３７の配線３７ａを接続した第１コネクタ受部３９ａを収容したもとで、中継接続線３８を保護カバー４１の外側から第２コネクタ受部３９ｂに接続することができる。このように、広く一般的に流通している同一面に複数のコネクタ受部３９ａ,３９ｂを設けた中継基板を利用することができるから、コストの抑制を図り得る。このとき、前記保護カバー４１(ベース部材４４)には、前記通孔４５ａが開設されているが、前記第２コネクタ受部３９ｂを挿通するので、球タンク等から零れて落下してきたパチンコ球が該通孔４５ａに進入する畏れはなく、保護カバー４１としての機能が損なわれることはない。また、前記保護カバー４１の内側に前記第２の中継基板３９を取付けるようにしたことで、該第２の中継基板３９を保護することもできる。
【００３７】
また、実施例では、第２の中継基板３９を保持する基板保持部４５と、前記第２コネクタ受部３９ｂを挿通する通孔４５ａと、第１コネクタ受部３９ａを収容する収容部４７とを有するベース部材４４を、保護カバー４１の本体部４２とは別部材として形成してある。このため、前記主制御装置２８および遊技盤３０(遊技盤３０の裏側に配設された図柄表示装置３６を含む)を交換してパチンコ機１０の遊技性を変更する、所謂機種変更に際し、前記ベース部材４４に保持する第２の中継基板３９の形状や大きさ、構成等を変更(例えば、コネクタ受部の配置個数や配置位置等を変更)する必要が生じた場合には、該ベース部材４４の形状・大きさを変更すればよく、保護カバー４１の全体を変更する必要がないから、コストの低減を図り得ると共に、廃棄物を減少させ得る。なお、前記基板保持部４５、通孔４５ａおよび収容部４７の何れも形成していない第２のベース部材６０(図１２参照)を設け、該第２のベース部材６０と前記ベース部材４４とを適宜着脱交換し得るようにすることで、機種変更等により前記第２の中継基板３９を必要とする場合と、必要としない場合(すなわち、保護カバー４１の外側に配設された電気部品と、該保護カバー４１の内側に配設された電気部品とを接続する必要がない場合)とに容易に変更することができる。なお、前記第２のベース部材６０の構成としては、前記基板保持部４５、通孔４５ａおよび収容部４７の何れも形成していない他は、前記ベース部材４４の構成と基本的に同一に形成することができる。
【００３８】
次に、前記保護カバー４１の本体部４２に開設した開口部４３への前記ベース部材４４の着脱方法について説明する。図１１(a)に示すように、前記本体部４２(保護カバー４１)の内側から、前記ベース部材４４の弾性部５６を前記開口部４３に挿入し、該弾性部５６の当接片５８を該開口部４３の開口前端面に当接させると共に、該ベース部材４４の後端部側を本体部４２の背面板４２ａに当接させる。そして、前記ベース部材４４を前記開口部４３に押し込むと、前記弾性部５６が弾性変形してベース部材４４が開口部４３に挿入され(図１１(b)参照)、当該ベース部材４４の全体が開口部４３の内側に挿入されると、弾性部５６が弾性復帰して当該開口部４３にベース部材４４が取付けられる(図１１(c)参照)。このとき、前記ベース部材４４の弾性部５６に形成した規制片５７が、前記本体部４２における第２側板４２ｄの外側(保護カバー４１の外面)に当接すると共に、ベース部材４４の上下のフランジ部５２,５３が該第２側板４２ｄの内側(保護カバー４１の内面)に当接するから、前記開口部４３からベース部材４４が脱落することはない。更に、前記開口部４３の開口端面に、前記当接片５８や基板保持部４５の上下の端部が当接することで、該ベース部材４４の上下移動および前方移動が規制され、前記上下のフランジ部５２,５３が背面板４２ａの内側(保護カバー４１の内面)に当接することで、該ベース部材４４の後方移動が規制される。すなわち、前記ベース部材４４を、前記開口部４３に確実に装着できる。
【００３９】
また、前記ベース部材４４を前記開口部４３から取外すに際しては、該ベース部材４４を前方移動させて前記弾性部５６を強制的に弾性変形させることで、ベース部材４４を本体部４２(保護カバー４１)の内側へ変位して、容易に取外すことができる。このように、前記ベース部材４４を前記本体部４２に着脱するに際して、工具を必要としないから、前述した機種変更等により、ベース部材４４を交換する必要が生じた場合であっても、交換作業を短時間で簡単に行なうことが可能である。
【００４０】
〔変更例〕
なお、本発明に係る遊技機としては、前述した実施例のものに限られるものではなく、種々の変更が可能である。例えば、ベース部材の形状・大きさとしては、該ベース部材に保持する中継基板の形状・大きさに合わせて適宜変更すればよい。また、実施例では、
第１の電気部品の配線が接続される第１接続部および第２の電気部品の配線が接続される第２接続部を同一面側に有する中継基板を、前記ベース部材に保持するようにしたが、これら第１接続部と第２接続部とを夫々反対の面側に設けた中継基板をベース部材に保持するよう構成してもよい。この場合には、前記ベース部材に収容部を形成する必要がなく、該ベース部材に、取付部に取付けた中継基板の第２接続部を保護カバーの外側に臨ませる通孔を開設すれば、中継基板の第１および第２接続部に対して、対応の配線を直接着脱することができる。
【００４１】
また、実施例では、ベース部材に保持した中継基板が、保護カバーの内側に位置する(取付部を保護カバーの内面に形成する)ようにしたが、該中継基板が保護カバーの外側に位置する(取付部を保護カバーの外面に形成する)ようにしてもよい。この場合は、保護カバーの内側に位置する第１の電気部品の配線を接続する第１接続部を、ベース部材の通孔を介して内側に臨ませるよう構成する。また、前記第１および第２接続部を同一面側に有する中継基板を保護カバーの外側に位置するようにする場合には、図１３に示すように、第１および第２コネクタ受部３９ａ,３９ｂを設けた面を保護カバー４１の内側に向けた状態で、ベース部材６５に第２の中継基板３９を保持すると共に、該ベース部材６５における第２コネクタ受部３９ｂを収容する収容部４７を後方に開口させ、該開口を介して該第２コネクタ受部３９ｂが保護カバー４１の外側に臨むよう構成することで、保護カバー４１の外側から第２コネクタ受部３９ｂに中継接続線３８を着脱し得る。なお、図１３において、実施例と同様の機能を有する部材には、同一の符号を付してある。
【００４２】
なお、実施例では、ベース部材に中継基板の取付部を形成するようにしたが、該取付部を保護カバー(本体部)に形成し、保護カバー(本体部)に中継基板を直接保持するようにしてもよい。この場合には、本体部にベース部材を装着する開口部を開設する必要はなく、第１または第２接続部を挿通する通孔を形成すればよい。なお、前記保護カバーの内側に配置する第１の電気部品としては、実施例のように図柄表示装置(表示制御装置)に限定されるものではなく、任意の電気部品を配置するようにすればよく、また該保護カバーの外側に配置される第２の電気部品としても、実施例のように接触検出装置に限定されるものではなく、保護カバーの内側に配置した第１の電気部品に対し電気的に接続されるものであれば、何れの電気部品であってもよい。
【００４３】
また、保護カバーの形状・大きさとしては、内側に配置される第１の電気部品を覆蓋保護し得る大きさ・形状に形成すればよい。なお、実施例では、保護カバーにおけるヒンジ機構から離間する側板に、前記中継基板を取付けるようにしたが、該中継基板を、ヒンジ機構を形成した側板側に取付けるようにすれば、保護カバーの開閉動作をよりスムーズに行なうことができる。また、実施例では、遊技機としてパチンコ機を採用したが、アレンジボール機等であってもよく、遊技盤の裏側に配設した第１の電気部品を保護カバーで覆蓋保護すると共に、保護カバーの外側に配置した第２の電気部品と、該第１の電気部品とを配線を介して接続するよう構成されたものであれば、何れの遊技機も採用し得る。
【００４４】
〔付記〕
なお、本発明に係る遊技機の具体的構成としては、以下のような限定が可能である。
(1) 請求項６に係る遊技機に関しては、前記開口部に着脱可能で、前記取付部、通孔および収容部の何れも形成していない第２のベース部材を設け、前記ベース部材と第２のベース部材とを所要に応じて着脱交換し得るようにする。
このように、取付部、通孔および収容部の何れも形成していない第２のベース部材を設け、前記ベース部材と第２のベース部材とを適宜着脱交換し得るようにすることで、中継基板を必要とする場合と、必要としない場合とに容易に変更することができる。
(2) 請求項１〜６または前記(1)に記載の遊技機に関しては、前記保護カバーを、ヒンジ機構を介して開閉自在に構成すると共に、該保護カバーの内面における前記通孔とヒンジ機構との間に前記第１の電気部品の配線を保持する配線留めを形成し、該配線留めに保持した配線が、前記保護カバーの内面に沿って前記ヒンジ機構と開口部との間に延在するようにする。
このように、第１の電気部品の配線を、保護カバーの内面に沿ってヒンジ機構と開口部との間に延在させることにより、該配線が保護カバーの開閉動作を阻害するのは防止される。
【図面の簡単な説明】
【００４５】
【図１】本発明の実施例に係るパチンコ機を示す正面図である。
【図２】実施例に係るパチンコ機を示す背面図である。
【図３】実施例に係る灰皿の底面側を示す斜視図である。
【図４】実施例に係る遊技盤に、保護カバーを閉成状態で取付けた状態を示す平断面図である。
【図５】実施例に係る保護カバーを背面側から見た状態を示す斜視図である。
【図６】実施例に係る第２の中継基板を保持したベース部材を、背面側から見た状態を示す斜視図である。
【図７】実施例に係るベース部材を、保護カバーの外側から見た状態を示す側面図である。
【図８】実施例に係るベース部材を、保護カバーの内側から見た状態を示す側面図である。
【図９】実施例に係るベース部材を図７におけるＡ−Ａ線で破断した状態を示す断面図である。
【図１０】実施例に係るベース部材を本体部に取付けた状態における図７のＢ−Ｂ線断面図である。
【図１１】実施例に係るベース部材を本体部に取付ける状態を示す工程図である。
【図１２】実施例に係る第２のベース部材を、背面側から見た状態を示す斜視図である。
【図１３】変更例に係る保護カバーの外面に中継基板を取付けた状態を示す平断面図である。
【符号の説明】
【００４６】
２０  接触検出装置(第２の電気部品)
２２ａ  配線
３０  遊技盤
３６  図柄表示装置(第１の電気部品)
３７ａ  配線
３８  中継接続線
３９  第２の中継基板(中継基板)
３９ａ  第１コネクタ受部(第１接続部)
３９ｂ  第２コネクタ受部(第２接続部)
４１  保護カバー
４２  本体部
４３  開口部
４４  ベース部材
４５  基板保持部(取付部)
４５ａ  通孔
４７  収容部
【図１】
2005253879.tif 000003
【図２】
2005253879.tif 000004
【図３】
2005253879.tif 000005
【図４】
2005253879.tif 000006
【図５】
2005253879.tif 000007
【図６】
2005253879.tif 000008
【図７】
2005253879.tif 000009
【図８】
2005253879.tif 000010
【図９】
2005253879.tif 000011
【図１０】
2005253879.tif 000012
【図１１】
2005253879.tif 000013
【図１２】
2005253879.tif 000014
【図１３】
2005253879.tif 000015